(57)【要約】【課題】視聴時の周辺環境に即して画像の再生時間を変更することができる情報処理装置及び画像再生方法を提供することを目的とする。【解決手段】テレビジョン放送受信装置１０は、周辺環境情報供給部１０１と、受信部１０２と、コンテンツ供給部１０３と、再生制御部１０４と、デコード部１０５と、再生部１０６と、記憶部１０７とを有する。コンテンツ供給部１０３は、受信部１０２で受信した操作コマンドに応じて、記憶部１０７からコンテンツ３００を読み出し、デコード部１０５へ供給する。デコード部１０５は、変換したコンテンツ３００のデータを再生部１０６に出力する。また、再生制御部１０４はデコード部１０５でデータの再生中に周辺環境情報供給部１０１から周辺の音声情報を受信する。記憶している閾値よりも大きな音声レベルを検出した場合、再生中のデータの再生時間を延長する。【選択図】  図３
2011160160.tif 000002
【特許請求の範囲】
【請求項１】
コンテンツを構成するデータを順に再生する再生部と、
周辺の環境に関する周辺環境情報を受信する第１の受信部と、
前記再生部にて再生しているデータの識別情報を受信する第２の受信部と、
前記周辺環境情報に基づいて、データの再生時間を設定する設定部と、
データ再生時の前記周辺環境情報を前記第２の受信部から受信し、前記受信した周辺環境情報に基づいて前記データの再生時間を、前記設定部に設定されている再生時間を参照して設定する再生制御部と、
を具備し、
前記第１の受信部は、少なくとも前記情報処理装置の筐体外部の音声の大きさを示す音声情報を含む周辺環境情報を受信し、
前記設定部は、第１のデータを再生時に検出した音声情報を第１の検出値として記憶し、前記第１のデータの次に再生される第２のデータを再生時に検出した音声情報を第２の検出値とし、前記第２の検出値が前記第１の検出値よりも大きい場合は前記第２のデータの再生時間を延長することを特徴とする情報処理装置。
【請求項２】
前記設定部は、前記第２の検出値が前記第１の検出値よりも大きい場合、前記第２の検出値を基準値として更新することを特徴とする請求項１に記載の情報処置装置。
【請求項３】
前記周辺環境情報は、データ再生時に前記情報処理装置の筐体外部を撮影した画像に基づいて、前記画像に含まれる人物に関する人物情報を含むことを特徴とする請求項１に記載の情報処理装置。
【請求項４】
前記設定部は、前記人物情報の示す人物が前記データにより生成される画像中に含まれているか否かを判別し、前記人物が前記画像中に含まれると判別した場合は前記再生時間を延長することを特徴とする請求項３に記載の情報処理装置。
【請求項５】
前記周辺環境情報は、前記情報処理装置の位置情報を含むことを特徴とする請求項１に記載の情報処理装置。
【請求項６】
前記設定部は、前記位置情報の示す位置と前記データを作成した位置との間の距離に関する閾値を記憶し、
前記位置情報の示す位置と再生しているデータの作成位置との距離が前記閾値以下であるか否かを判別し、前記距離が前記閾値以下であると判別した場合は前記データの再生時間を延長することを特徴とする請求項５に記載の情報処理装置。
【請求項７】
前記周辺環境情報は、前記情報処理装置の筐体外部のにおい情報を含むことを特徴とする請求項１に記載の情報処理装置。
【請求項８】
前記設定部は、においに関する閾値を記憶し、
データ再生中に受信した前記におい情報が前記閾値より大きいか否かを判別し、前記におい情報が前記閾値より大きいと判別した場合は前記データの再生時間を短縮若しくは再生しないことを特徴とする請求項７に記載の情報処理装置。
【請求項９】
前記周辺環境情報は、前記情報処理装置の振動情報を含むことを特徴とする請求項１に記載の情報処理装置。
【請求項１０】
前記設定部は、振動に関する閾値を記憶し、
データ再生中に受信した前記振動情報が前記閾値より大きいか否かを判別し、前記振動情報が前記閾値より大きいと判別した場合は前記データの再生時間を延長し且つ前記データの次に単一色の画面を再生してから次のデータを再生することを特徴とする請求項９に記載の情報処理装置。
【請求項１１】
コンテンツを構成する複数のデータを順に再生し、
第１のデータの再生中に筐体外部の音声の大きさを示す音声情報を第１の検出値として検出し、
前記第１のデータの次に再生される第２のデータを再生する際の音声情報を第２の検出値として検出し、
前記第１の検出値と前記第２の検出値とを比較し、
前記第２の検出値が前記第１の検出値よりも大きい場合は前記第２のデータの再生時間を延長することを特徴とする画像再生方法。
【請求項１２】
前記第１の検出値と前記第２の検出値とを比較し、
何れか大きい検出値を基準値として記憶し、
前記第２のデータの次に再生する第３のデータを再生する際の音声情報を第３の検出値として検出し、
前記第３の検出値と前記基準値とを比較し、前記第３の検出値が前記基準値よりも大きい場合は前記第３のデータの再生時間を延長することを特徴とする請求項１１に記載の画像再生方法。
【発明の詳細な説明】
【技術分野】
【０００１】
本発明は、情報処理装置及び画像再生方法に関する。
【背景技術】
【０００２】
近年、デジタルカメラが普及し、撮影したデジタル画像はメモリカード等に保存することが一般的になっている。またメモリカード等の各種記憶媒体の大容量化及び低価格化が進み、大量のデジタル画像を記憶することが可能になっている。
【０００３】
メモリカード等に記憶されている画像を把握するための方法として、サムネイル再生やスライドショーといった再生方法が挙げられる。記憶されている全画像をスライドショーにより確認する場合、デジタルカメラの連続撮影機能により撮影された類似した画像が大量に含まれていると、各画像について同一時間ずつ再生することは効率的ではない。
【０００４】
特許文献１には、撮影時間間隔や画像の類似度によってグルーピングしたグループごとに、再生時間を異ならせて再生することが開示されている。例えば、各画像のアクセス頻度を参照して、ユーザのお気に入りの画像については再生時間を長く設定する。
【先行技術文献】
【特許文献】
【０００５】
【特許文献１】特開２００７−３６７３７号
【発明の概要】
【発明が解決しようとする課題】
【０００６】
上述の技術においては、アクセス頻度を参照して再生時間を変更する他に、画像を再生している時刻や季節、視聴しているユーザによりグループごとの再生時間の割当を変更することも記載されている。
【０００７】
しかし、スライドショーに含まれる画像ごとに再生時間を変更する方法については、上述の技術で行われている変更方法では十分とは言えない。視聴する都度変化し得る事象、例えばユーザの反応の大きさ等の視聴時の周辺環境に応じて画像の再生時間を適切に設定することが望まれる。
【０００８】
本発明は、上述した点に鑑みてなされたものであり、視聴時の周辺環境に即して画像の再生時間を変更することができる情報処理装置及び画像再生方法を提供することを目的とする。
【課題を解決するための手段】
【０００９】
上記目的を達成するために、本発明に係る情報処理装置は、コンテンツを構成するデータを順に再生する再生部と、周辺の環境に関する周辺環境情報を受信する第１の受信部と、前記再生部にて再生しているデータの識別情報を受信する第２の受信部と、前記周辺環境情報に基づいて、データの再生時間を設定する設定部と、データ再生時の前記周辺環境情報を前記第２の受信部から受信し、前記受信した周辺環境情報に基づいて前記データの再生時間を、前記設定部に設定されている再生時間を参照して設定する再生制御部と、を具備し、前記第１の受信部は、少なくとも前記情報処理装置の筐体外部の音声の大きさを示す音声情報を含む周辺環境情報を受信し、前記設定部は、第１のデータを再生時に検出した音声情報を第１の検出値として記憶し、前記第１のデータの次に再生される第２のデータを再生時に検出した音声情報を第２の検出値とし、前記第２の検出値が前記第１の検出値よりも大きい場合は前記第２のデータの再生時間を延長することを特徴としている。
【００１０】
また、本発明に係る画像再生方法は、コンテンツを構成する複数のデータを順に再生し、第１のデータの再生中に筐体外部の音声の大きさを示す音声情報を第１の検出値として検出し、前記第１のデータの次に再生される第２のデータを再生する際の音声情報を第２の検出値として検出し、前記第１の検出値と前記第２の検出値とを比較し、前記第２の検出値が前記第１の検出値よりも大きい場合は前記第２のデータの再生時間を延長することを特徴としている。
【発明の効果】
【００１１】
本発明によれば、視聴時の周辺環境に即して画像の再生時間を変更することができる情報処理装置及び画像再生方法を提供することが実現する。
【図面の簡単な説明】
【００１２】
【図１】本実施の形態におけるテレビジョン放送受信装置の外観図。
【図２】本実施の形態におけるテレビジョン放送受信装置の機能ブロック図。
【図３】実施の形態におけるコンテンツの記憶状態の概念図の一例。
【図４】本実施の形態における再生制御部が実行する再生データの制御手順を示すフローチャート。
【発明を実施するための形態】
【００１３】
以下に図１〜図４を参照して、本発明の実施の形態について、例えば、情報処理装置の１つであるテレビジョン放送受信装置１０に適用した場合を例に説明する。図１は、本実施の形態におけるテレビジョン放送受信装置１０の外観図である。
【００１４】
テレビジョン放送受信装置１０は、受信部１０２にて受信するリモコン２００からの操作コマンドに応じて各種の処理を実行する。テレビジョン放送受信装置１０は、筐体中央に再生部１０６を備え、筐体内上部に周辺環境情報供給部１０１を収容している。周辺環境情報供給部１０１から供給されるテレビジョン放送受信装置１０の周辺環境に関する各種の情報に基づいて、再生部１０６に再生する画像の再生制御を行う。周辺環境に関する情報としては、テレビジョン放送受信装置１０の周辺の音やにおいに関する情報、視聴者の識別情報、テレビジョン放送受信装置１０の設置場所などが挙げられる。
【００１５】
図２は、本実施の形態におけるテレビジョン放送受信装置１０の機能ブロック図である。テレビジョン放送受信装置１０は、制御部１００と、周辺環境情報供給部１０１と、受信部１０２と、コンテンツ供給部１０３と、再生制御部１０４と、デコード部１０５と、再生部１０６と、記憶部１０７とから構成される。
【００１６】
制御部１００は、受信部１０２を介してリモコン２００からの操作コマンドに応じて、記憶部１０７に予め記録されたシステム制御プログラム及び各種処理プログラムを起動させる。本実施の形態においては、画像再生時間制御プログラムを実行する。制御部１００が実行する画像再生時間制御プログラムは、機能ブロックとしてコンテンツ供給部１０３と、再生制御部１０４と、デコード部１０５とを含む。各機能ブロックの機能については後述する。
【００１７】
周辺環境供給部１０１は、再生制御部１０４から受信した周辺環境情報取得コマンドに基づいて、検出した周辺環境情報を再生制御部１０４に通知する。本実施の形態においては、周辺環境情報供給部１０１を、マイク１０８と、カメラ１０９と、ＧＰＳ（Ｇｌｏｂａｌ  Ｐｏｓｉｔｉｏｎｉｎｇ  Ｓｙｓｔｅｍ）受信機１１０と、においセンサ１１１と、温度センサ１１２とから構成するとする。尚、温度センサ１１２は、テレビジョン放送受信装置１０筐体内では筐体に内蔵される電子部品等からの発熱の影響を受けるので、リモコン２００の筐体に収容するとする。周辺環境情報としては、音声レベル情報、人物認識情報、位置情報、気温情報、におい情報等が挙げられる。これらの周辺環境情報として単一で使用してもよいし、複数を組み合わせても良い。
【００１８】
受信部１０２は、ユーザによるリモコン２００の操作に基づいた、再生コンテンツの選択結果とコンテンツ再生及び停止要求を操作コマンドとして再生制御部１０４に通知する。本実施例ではリモコン２００から操作コマンドを受信するとしたが、これに限定されることはなく、他のデバイスでも良いし、音声認識、文字認識により操作コマンドを認識するとしても良い。
【００１９】
コンテンツ供給部１０３は、再生制御部１０４から受信したコンテンツ識別情報取得コマンドに基づいて、コンテンツ３００のコンテンツ識別情報３１０を記憶部１０７から読み出し、再生制御部１０４に通知する。尚、本実施の形態においては、コンテンツ３００は記憶部１０７に記憶されているとしたが、テレビジョン放送受信装置１０に対して着脱可能な記憶媒体から読み込まれるとしても良いし、ネットワーク上から受信するとしても良い。
【００２０】
再生制御部１０４は、受信部１０２からの操作コマンドに応じて、再生部１０６に再生するデータの制御を実行する。この再生制御部１０４が、受信部１０２から操作コマンドを受信してから行う、他の機能ブロックに対する動作についてそれぞれ説明する。
【００２１】
まず、再生制御部１０４は、受信部１０２からの操作コマンドに応じて、コンテンツ識別情報取得コマンドをコンテンツ供給部１０３に送出し、コンテンツ供給部１０３からコンテンツ識別情報を受信する。
【００２２】
また、再生制御部１０４は、受信部１０２からの操作コマンドに応じて、周辺環境情報取得コマンドを周辺環境情報供給部１０１に送出し、周辺環境情報供給部１０１からテレビジョン放送受信装置１０の周辺環境情報を受信する。更に再生制御部１０４は、この受信した周辺環境情報の判別に用いる基準値を記憶している。
【００２３】
また、再生制御部１０４は、受信部１０２からの操作コマンドに応じて、再生データ情報取得コマンドをデコード部１０５に送出し、デコード部１０５で再生しているデータ番号を再生データ情報として受信する。また、再生制御部１０４は、再生部１０６に出力するデータの再生開始と再生停止を指示する再生データ制御コマンドをデコード部１０５に送出し、再生動作を制御する。更に再生制御部１０４は計時機能を有し、再生データ制御コマンドの生成と通知タイミングを決定する。
【００２４】
デコード部１０５は、再生制御部１０４から受信した再生データ制御コマンドから再生データ取得コマンドを生成する。この再生データ取得コマンドをコンテンツ供給部１０３に通知し、コンテンツ３００のコンテンツデータ３２０を記憶部１０７から読み出す。デコード部１０５は、コンテンツデータ３２０を再生すると共に、データを一定時間再生した後に再生中のコンテンツデータ３２０のデータ番号を再生データ情報として再生制御部１０４に通知する。データの再生開始と再生停止は、再生制御部１０４から受信する再生データ制御コマンドに基づいて行う。
【００２５】
再生部１０６は、デコード部１０５から出力される再生データを再生する。例えば、テレビジョン放送受信装置１０に設けられるＬＣＤ（Ｌｉｑｕｉｄ  Ｃｒｙｓｔａｌ  Ｄｉｓｐｌａｙ）等である。再生部１０６としてプラズマパネル、プロジェクター、ブラウン管（ＣＲＴ）を使用してもよい。再生データの形式は本実施例ではＲＧＢを使用するが、再生データの形式はＹＵＶなど他のデータ形式でもよい。
【００２６】
記憶部１０７は、コンテンツ３００を格納している記憶媒体である。図３は、本実施の形態におけるコンテンツ３００の記憶状態の概念図の一例である。コンテンツ３００は、コンテンツ識別情報３１０とコンテンツデータ３２０とから構成される。コンテンツ識別情報３１０は、コンテンツ番号３１１と、グループ数３１２と、データ数３１３と、コンテンツ詳細情報３１４とから構成される。
【００２７】
コンテンツ番号３１１は、コンテンツ３００に一意に割り当てられた番号である。グループ数３１２は、単一又は複数のデータに割り当てられた番号である。グループ分けは例えばコンテンツを構成するデータのシーンごとに行われる。データ数３１３は、コンテンツ３００を構成するデータの総数を示す。コンテンツ詳細情報３１４は、コンテンツ３００を構成する各データに記録されている人物情報、データの作成場所、データの作成時期、データの色情報、データに関するキーワードを示す情報から構成される。データに関するキーワードとは、例えば食事中、旅行などデータに関連したキーワードであり、ユーザが設定可能である。
【００２８】
コンテンツデータ３２０は、単一又は複数のデータから構成されるとし、本実施の形態においては複数のデータ３２１１〜３２３２から構成されているとする。また、データが複数である場合、グループ分けされるとし、本実施の形態においては複数のデータ３２１１〜３２３２が複数のグループ３２１〜３２３にグループ分けされているとする。即ち、データ３２１１〜３２１２はグループ３２１、データ３２２１〜３２２３はグループ３２２、データ３２３１〜３２３２はグループ３２３というようにグループ分けされている。
【００２９】
尚、本実施の形態においては、再生するデータとして静止画像を例に説明したが、動画、文字データ、音声データ等でも良い。また、複数のデータではなく単一のデータから構成されている場合、単一データを分割することで本実施の形態と同様の効果が得られる。
【００３０】
次に、周辺環境情報供給部１０１で検出する周辺環境情報及び検出した周辺環境情報に基づいた再生制御について説明する。本実施の形態においては、周辺環境情報として音声レベル情報、人物認識情報、位置情報、気温情報、におい情報、気温情報から構成される。
【００３１】
音声レベル情報とは、マイク１０８から検出される周辺の音声情報である。視聴者の反応を音声に基づいて判断することで、音声レベルが閾値以上である場合を反応の大きい画像とし、再生時間を長く設定することが出来る。即ち、視聴者の興味を引いている画像については他の画像よりも長く視聴することができ、視聴者がこの画像を再生するために巻戻しや一時停止といった操作をする手間なく嗜好に沿った視聴が実現する。
【００３２】
人物認識情報とは、カメラ１０９により撮影された画像から判別される視聴している人物の識別情報である。視聴人物の識別情報は、カメラ１０９により撮影されるテレビジョン放送受信装置１０前方の画像から顔領域を検出し、顔領域の類似度に基づいて人物の判別した結果を示す情報である。顔領域の類似度は、例えば目、鼻、口等の配置によって決定される。この視聴人物の識別情報とコンテンツ詳細情報３１４に含まれる人物情報とを比較することで、視聴している人物と画像に写っている人物と比較することができる。即ち、視聴している人物の写っている画像の再生時間を延長することができ、視聴している人物が写っている画像を他の画像に比べてより長く視聴することができる。
【００３３】
位置情報とは、ＧＰＳ受信機１１０から受信する設置位置を示す情報である。この位置情報と、コンテンツ詳細情報３１４に含まれるデータ作成場所を示す情報とを比較することで、テレビジョン放送受信装置１０の設置位置と画像データの作成位置とを比較することができる。従って、画像を視聴している位置と近い場所で作成された画像データの再生時間を長く設定することで、視聴している場所と関連する画像に重点を置いて視聴することができる。
【００３４】
気温情報とは、リモコン２００に設けられる温度センサ１１２から、視聴時の気温を検出した情報である。この気温情報と、コンテンツ詳細情報３１４に含まれるデータの作成時期とを比較することで、視聴している気温に適した画像データを再生することができる。例えば検出した気温が高い時にはデータ作成時期が春から夏である画像を長く再生し、気温が低い時にはデータ作成時期が秋から冬の画像を長く再生する。
【００３５】
また気温情報とコンテンツ詳細情報３１４に含まれるデータの色情報とを比較することによっても、視聴している気温に適したデータを再生することができる。例えば検出した気温が高いときには寒色が多く記録されているデータを長く再生し、気温が低い時には暖色が多く記録されているデータを長く再生することができる。暖かい気候の時には涼しい印象を与える寒色が含まれているデータを長く視聴し、反対に寒い気候の時には暖かい印象を与える暖色が含まれているデータを長く視聴することができる。
【００３６】
におい情報は、においセンサ１１１から検出されるテレビジョン放送受信装置１０周辺のにおいに関する情報である。このにおい情報と、データに関するキーワードを示す情報とを比較することで、視聴している状況に適したデータを再生することができる。例えば、再生制御部１０４に記憶している閾値以上のにおいが検出された場合は食事中であると判別し、データに関するキーワードを示す情報に食事というキーワードを含むデータの再生時間を短くすることができる。
【００３７】
以上の説明においては、周辺環境情報及びコンテンツ詳細情報３１４を参照することで再生することが望ましいと判別されたデータの再生時間を長くするとしたが、これに限定されることはない。即ち、再生することが望ましいと判別されたデータのみを再生するとしても良い。また、周辺環境情報に基づく、再生時間や再生するか否かの設定はユーザによって変更可能である。
【００３８】
以上のように構成されるデータ再生中の周辺環境情報と、再生中のデータとを対応付けて再生するデータの制御を行う。即ち、周辺環境情報供給部１０１から受信する周辺環境情報と、デコード部１０５から受信する再生データ情報とを参照して、コンテンツデータ３２０の再生する時間を変更することで、周辺環境に即したデータ再生を行う。
【００３９】
次に、再生データの制御を行う際の再生制御部１０４の動作について説明する。図４は、本実施の形態における再生制御部１０４が実行する再生データの制御手順を示すフローチャートである。以下の制御手順においては、周辺環境情報として音声レベル情報を例に説明する。
【００４０】
まず、再生制御部１０４は、受信部１０２から操作コマンドを受信したか否かを判別する（ステップＳ１０１）。ステップＳ１０１で判別した結果、操作コマンドを受信していないと判別した場合（ステップＳ１０１のＮｏ）、ステップＳ１０１に戻る。
【００４１】
一方、操作コマンドを受信したと判別した場合（ステップＳ１０１のＹｅｓ）、再生制御部１０４は、操作コマンドから特定されるコンテンツが存在するか否かを判別する（ステップＳ１０２）。ステップＳ１０２で判別した結果、指定されたコンテンツが存在しないと判別した場合（ステップＳ１０２のＮｏ）、この手順を終了する。
【００４２】
一方、指定されたコンテンツが存在すると判別した場合（ステップＳ１０２のＹｅｓ）、再生位置の初期化を行う（ステップＳ１０３）。再生位置の初期化とは、再生する位置をグループ００００と設定することである。
【００４３】
次に、再生制御部１０４はデコード部１０５に対して、再生データ制御コマンドを送出し、再生データを再生部１０６に対して出力を開始する（ステップＳ１０４）。即ち、デコード部１０５は受信した再生データ制御コマンドに再生が指示されたコンテンツデータ３２０を記憶部１０７から読み出し、再生部１０６に再生可能な形式に変換して再生部１０６に出力する。再生は、指定されたコンテンツ３００のグループ０００１のデータ０００１から開始する。
【００４４】
次に、再生制御部１０４は、一定時間経過したか否かを判別する（ステップＳ１０５）。その結果、一定時間経過したと判別していないと判別した場合（ステップＳ１０５のＮｏ）、一定時間経過したと判別するまでステップＳ１０５を繰り返す。一方、一定時間経過したと判別した場合（ステップＳ１０５のＹｅｓ）、再生制御部１０４はデコード部１０５から再生データ情報を受信する（ステップＳ１０６）。
【００４５】
次に、再生制御部１０４は、周辺環境情報供給部１０１から周辺環境情報を受信する（ステップＳ１０７）。即ち、再生制御部１０４は、周辺環境情報供給部１０１に対して周辺環境情報取得コマンドを送出し、周辺環境情報を受信する。
【００４６】
次に、再生データがＳ１０６で受信した再生データ情報から、現在再生しているデータと同一グループであるか否かを判別する（ステップＳ１０８）。ステップＳ１０８で判別した結果、再生データが同一グループではないと判別した場合（ステップＳ１０８のＮｏ）、後述するステップＳ１１１に進む。再生を開始してコンテンツの先頭のデータ０００１を再生している場合には、ステップＳ１０３にて再生位置の初期化、即ち再生位置をグループ００００と設定していることからグループは同一にならずステップＳ１１１に進む。
【００４７】
再生制御部１０４は、周辺環境情報供給部１０１で検出した値を基準値として再生制御部１０４内に記憶する（ステップＳ１１１）。即ち、グループ内の最初に再生されるデータの検出値を基準値とする。
【００４８】
一方、ステップＳ１０８で判別した結果、再生データが同一グループであると判別した場合（ステップＳ１０８のＹｅｓ）、検出値がステップＳ１１１で記憶した基準値より大きいか否かを判別する（ステップＳ１０９）。即ち、同一グループ内のデータ同士の場合には検出値を比較する。
【００４９】
ステップＳ１０９で判別した結果、検出値が基準値よりも大きいと判別した場合（ステップＳ１０９のＹｅｓ）、再生中のデータの再生時間を延長する（ステップＳ１１０）。即ち、１つ前に再生した画像よりも大きな反応が得られた場合は、視聴者の興味を引く画像であると判別して長く再生する。
【００５０】
一方、ステップＳ１０９で判別した結果、検出値が基準値以下であると判別した場合（ステップＳ１０９のＮｏ）、ステップＳ１１１に進む。即ち、１つ前に再生した画像よりも大きな反応が得られなかった場合は通常の再生時間を維持し、検出値を基準値として設定する。
【００５１】
次に、再生制御部１０４は、ステップＳ１０６で受信した再生データ情報のデータ番号を保持する（ステップＳ１１２）。次に、再生制御部１０４は、再生データがコンテンツ３００の最後のデータであるか否かを判別する（ステップＳ１１３）。即ち、ステップＳ１１２で保持したデータ番号と、ステップＳ１０２で受信したコンテンツ識別情報３１０内のデータ数３１３とが等しいか否かを判別する。
【００５２】
ステップＳ１１３で判別した結果、再生データがコンテンツ３００の最後のデータは無いと判別した場合（ステップＳ１１３のＮｏ）、再生制御部１０４はデータ番号をインクリメントする（ステップＳ１１４）。即ち、再生していたデータ番号に１を加えた数字をデータ番号として設定する。そして上述したステップＳ１０４からの手順を繰り返す。即ち、再生していたデータの次に設定されているデータを再生データとして設定し、再生部１０６に対して出力する。
【００５３】
一方、ステップＳ１１３で判別した結果、再生データがコンテンツ３００の最後のデータであると判別した場合（ステップＳ１１３のＹｅｓ）、再生制御部１０４は再生データの出力を停止する（ステップＳ１１５）。即ち、再生制御部１０４はデコード部１０５に対して、再生停止を示す再生データ制御コマンドを送出し、データの再生を停止する。以上で、再生制御部１０４が実行する再生データの制御手順を終了する。
【００５４】
以上のように、本実施の形態によれば、再生しているデータの再生時間を、このデータを表示している時の周囲の反応に合わせて延長することができるため、ユーザの嗜好に即した画像の視聴が実現する。
【００５５】
尚、本実施の形態においては、情報処理装置としてテレビジョン放送受信装置１０を例に説明したが、これに限定されることはなく各種装置で適用可能である。例えば、パーソナルコンピュータに適用した場合、周辺環境情報として振動情報が含まれるとしても良い。振動情報は、加速度センサ等から検出される装置の移動に関する情報である。例えば、振動情報から装置が定期的に細かく移動している、即ち、振動していることが検出された場合、視聴者は装置を携帯して移動中であると予想される。従って、コンテンツ３００を構成する各画像の再生時間を通常よりも長く設定する。または、画像遷移間に単一色の画面を挟む等のエフェクトをかけることで、移動中であっても画像を視聴しやすくなる。
【００５６】
尚、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除しても良い。さらに異なる実施形態にわたる構成要素を適宜組み合わせても良い。
【符号の説明】
【００５７】
１０…テレビジョン放送受信装置、１００…制御部、１０１…周辺環境情報供給部、１０２…受信部、１０３…コンテンツ供給部、１０４…再生制御部、１０５…デコード部、１０６…再生部、１０７…記憶部、１０８…マイク、１０９…カメラ、１１０…ＧＰＳ受信機、１１１…においセンサ、１１２…温度センサ、２００…リモコン、３００…コンテンツ、３１０…コンテンツ識別情報、３１１…コンテンツ番号、３１２…グループ数、３１３…データ数、３１４…コンテンツ詳細情報、３２０…コンテンツデータ、３２１〜３２３…グループ、３２１１〜３２３２…データ。
【図１】
2011160160.tif 000003
【図２】
2011160160.tif 000004
【図３】
2011160160.tif 000005
【図４】
2011160160.tif 000006
【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
コンテンツ中のデータを順に再生するように構成される再生部と、
周辺環境情報を受信するように構成される第１の受信部と、
前記再生部にて再生しているデータに対応する識別情報を受信するように構成される第２の受信部と、
前記周辺環境情報に基づいて、データに対応する再生時間を設定するように構成される設定部と、
データ再生時の前記周辺環境情報を前記第１の受信部から受信し、前記受信した周辺環境情報に基づいて前記データに対応する再生時間を、前記設定部中の再生時間を参照して設定するように構成される再生制御部と、
を具備し、
前記第１の受信部は、前記周辺環境の音声のレベルに対応する音声情報を含む周辺環境情報を受信するように構成され、
前記設定部は、第１のデータの再生時の第１の音声情報を第１の値として記憶し、前記第１のデータの次に再生される第２のデータの再生時の第２の音声情報を第２の値として設定し、前記第２の値が前記第１の値よりも大きい場合は前記第２のデータに対応する再生時間を延長するように構成されることを特徴とする情報処理装置。
【請求項２】
前記設定部は、前記第２の値が前記第１の値よりも大きい場合、前記第２の値を基準値として更新するように構成されることを特徴とする請求項１に記載の情報処置装置。
【請求項３】
前記周辺環境情報は、データ再生時に撮影した画像に対応する人物に関する人物情報を含むことを特徴とする請求項１に記載の情報処理装置。
【請求項４】
前記設定部は、前記人物情報に対応する人物が前記データにより生成される画像中に含まれているか否かを判別し、前記人物情報に対応する人物が前記画像中に含まれると判別した場合は前記再生時間を延長するように構成されることを特徴とする請求項３に記載の情報処理装置。
【請求項５】
前記周辺環境情報は、前記情報処理装置の位置に対応する位置情報を含むことを特徴とする請求項１に記載の情報処理装置。
【請求項６】
前記設定部は、閾距離を記憶するように構成され、
前記設定部は、前記位置情報の示す位置と前記データを作成した位置との間の距離に関する前記位置情報に対応する第１の位置とデータが作成された第２の位置との距離が前記閾距離以下であるか否かを判別し、前記距離が前記閾距離以下であると判別した場合は前記データの再生時間を延長するように構成されることを特徴とする請求項５に記載の情報処理装置。
【請求項７】
前記周辺環境情報は、前記情報処理装置の周りのにおいに対応するにおい情報を含むことを特徴とする請求項１に記載の情報処理装置。
【請求項８】
前記設定部は、においに関する閾値を記憶するように構成され、
前記設定部は、データ再生中の前記におい情報に対応する値が前記閾値より大きいか否かを判別し、前記におい情報に対応する値が前記閾値より大きいと判別した場合は前記データの再生時間を短縮し若しくは再生を停止するように構成されることを特徴とする請求項７に記載の情報処理装置。
【請求項９】
前記周辺環境情報は、前記情報処理装置の振動に対応する振動情報を含むことを特徴とする請求項１に記載の情報処理装置。
【請求項１０】
前記設定部は、振動に関する閾値を記憶するように構成され、
前記設定部は、データ再生中の前記振動情報対応する値が前記閾値より大きいか否かを判別し、前記振動情報に対応する値が前記閾値より大きいと判別した場合は前記データの再生時間を延長し且つ前記データの次に単一色の画面を再生してから次のデータを再生するように構成されることを特徴とする請求項９に記載の情報処理装置。
【請求項１１】
コンテンツ中の複数のデータを順に再生し、
第１のデータの再生中に前記周辺環境の音声のレベルの値に対応する第１の音声情報を第１の値として検出し、
前記第１のデータの次に再生される第２のデータを再生する際の第２の音声情報を第２の値として検出し、
前記第１の値と前記第２の値とを比較し、
前記第２の値が前記第１の値よりも大きい場合は前記第２のデータの再生時間を延長することを特徴とする画像再生方法。
【請求項１２】
前記第１の値と前記第２の値の大きい方を基準値として記憶し、
前記第２のデータの次の第３のデータを再生する際の音声情報を第３の値として検出し、
前記第３の値と前記基準値とを比較し、
前記第３の値が前記基準値よりも大きい場合は前記第３のデータの再生時間を延長することを特徴とする請求項１１に記載の画像再生方法。